(57)【要約】【課題】ブーツ靴が逆さま状態で支柱にて懸架されブーツ靴立てにおいて、種々の長さのブーツ靴にも対応できて、ブーツ靴に折り目、シワ、キズ、汚れ、雑菌等の問題が発生せず常に最適の状態で保管できるブーツ靴立てを提供する。【解決手段】台座にブーツ靴の上下を逆さにして差し込み可能な支柱を設け、該支柱は長手方向に長さを変えることができる長さ調整手段を設け、支柱は台座に一対の扁平な固定支柱部材を固定し、該一対の固定支柱部材の中間に長手方向の上下に移動可能な高さ調整支柱部材を挿入し、前記固定支柱部材には一対の貫通孔を設けるとともに、対応する高さ調整支柱部材の長手方向の複数箇所に貫通孔を設け、該複数箇所に任意の貫通孔を選択して前記固定支柱部材の一対の貫通孔と一致させ、ボルトで固定したブーツ靴立てである。【選択図】図１
2005065831.tif 000002
【特許請求の範囲】
【請求項１】
台座にブーツ靴の上下を逆さにして差し込み可能な支柱を設け、該支柱は長手方向に長さを変えることができる長さ調整手段を設けたことを特徴とするブーツ靴立て。
【請求項２】
前記支柱は台座に一対の扁平な固定支柱部材を固定し、該一対の固定支柱部材の中間に長手方向の上下に移動可能な高さ調整支柱部材を挿入し、前記固定支柱部材には一対の貫通孔を設けるとともに、対応する高さ調整支柱部材の長手方向の複数箇所に貫通孔を設け、該複数箇所に任意の貫通孔を選択して前記固定支柱部材の一対の貫通孔と一致させ、ボルトで固定することを特徴とする請求項１に記載のブーツ靴立て。
【請求項３】
前記台座には、固定支柱部材と高さ調整支柱部材とを組み立てた支柱の二本以上を千鳥足状に配置したことを特徴とする請求項１または２に記載のブーツ靴立て。
【請求項４】
前記支柱には、少なくとも、脱臭剤、芳香剤、乾燥剤、除菌剤の何れかを挿入したことを特徴とする請求項１乃至３に記載のブーツ靴立て。
【発明の詳細な説明】
【技術分野】
【０００１】
本発明は、種々の長さのブーツ靴を逆さ懸架にて、安全、清潔に保管するブーツ靴立に関する。
【背景技術】
【０００２】
ブーツ靴は底の深い形状が一般的であり、寒い季節に利用するが、その他のシーズンは長期保管しなければならない。又、ブーツ靴は、流行的デザイン変更が短期間且つ頻繁に行われる為に形状や大きさ、材質等の変動が大きく保管する上で非常に手数を必要とする。その上に長い構造の靴であり、靴内の湿気、臭い、雑菌等が容易に発生するといった問題点があった。
また、従来の一般的ブーツ靴の保管は、正常位置にて下駄箱や適切な保管場所に置き、ブーツ靴内に新聞紙や所有者が別途柔らかい構造をした挿入部材を買い求め、これらの品をブーツ靴内に差し込んで対応をしているが、底の深いブーツ靴の先端まで除湿、除臭、殺菌等は困難であり、使用者は、不完全な状態でブーツ靴を使用し続けるので靴の変色、痛み、変形等が起き易く長期に亘り使用せず新しい物を数多く購入する結果となり経済的損失も大きい。
【０００３】
このため、ブーツ靴を逆さ懸架するブーツスタンドは、例えば、特許文献１〜３に示すように知られているが、ブーツ靴を逆さ懸架にて保管しても保管器具が固定式であって、ブーツ靴の長さや大きさに依り収納不可や無理な収納の為に靴の表皮に折り目やシワやキズや汚れを生じさせることがあるといった問題点があった。また、長さが短めブーツ靴においては、ブーツスタンドが必要以上に大きく収納スペースを無駄にするといった問題点もあった。
【０００４】
【特許文献１】特開平１０−１４７４２号公報
【特許文献２】特開２００２−１５３３７０号公報
【特許文献３】実用新案登録第３０３７９１３号公報
【発明の開示】
【発明が解決しようとする課題】
【０００５】
本発明の解決しようとする問題点は、ブーツ靴が逆さま状態で支柱にて懸架されブーツ靴立てにおいて、種々の長さのブーツ靴にも対応できて、ブーツ靴に折り目、シワ、キズ、汚れ、雑菌等の問題が発生せず常に最適な状態で保管できるブーツ靴立てを提供することである。
【課題を解決するための手段】
【０００６】
本発明は、ブーツ靴が逆さま状態で支柱にて懸架されブーツ靴立てにおいて、長さが合わないために、ブーツ靴に折り目、シワ、キズ、汚れなどが生じるこを防いだもので、ブーツ靴の長さに対応して台座に設けた支柱の高さを適切に調整できることを特徴とするものである。
すなわち、請求項１の発明は、台座にブーツ靴の上下を逆さにして差し込み可能な支柱を設け、該支柱は長手方向に長さを変えることができる長さ調整手段を設けたことを特徴とするブーツ靴立てである。
請求項２の発明は、前記支柱は台座に一対の扁平な固定支柱部材を固定し、該一対の固定支柱部材の中間に長手方向の上下に移動可能な高さ調整支柱部材を挿入し、前記固定支柱部材には一対の貫通孔を設けるとともに、対応する高さ調整支柱部材の長手方向の複数箇所に貫通孔を設け、該複数箇所に任意の貫通孔を選択して前記固定支柱部材の一対の貫通孔と一致させ、ボルトで固定することを特徴とする請求項１に記載のブーツ靴立てである。
請求項３の発明は、前記台座には、固定支柱部材と高さ調整支柱部材とを組み立てた支柱の二本以上を千鳥足状に配置したことを特徴とする請求項１または２に記載のブーツ靴立てである。
請求項４の発明は、前記支柱には、少なくとも、脱臭剤、芳香剤、乾燥剤、除菌剤の何れかを挿入したことを特徴とする請求項１乃至３に記載のブーツ靴立てである。
【発明の効果】
【０００７】
本発明によれば、種々の長さのブーツ靴にも対応できるので、ブーツ靴に折り目、シワ、キズ、汚れ、雑菌等の問題が発生せず常に最適の状態で保管でき、ブーツ靴が逆さまの状態にて保持されるので、乾燥した空気や新鮮な空気がブーツ靴の先まで容易に循環し、ブーツ靴内面の蒸れ、臭い、湿気、汚れ、雑菌等が速やかに除去でき、支柱の内部に、脱臭剤、芳香剤、乾燥剤、除菌剤等を取付けることにより、ブーツ靴内の嫌な臭い、湿気、雑菌等を取り除き清潔、衛生的に保管が出来るという効果が得られる。
すなわち、本発明は、ブーツ靴を逆さ状態で収納し且つ支柱の高さを調整式にしたことにより、ブーツ靴の深さや高さに影響されず利用できることを最大の特徴とするものである。
【発明を実施するための最良の形態】
【０００８】
本発明のブーツ靴立ては、ブーツ靴の保管を逆さ懸架にて安全、清潔に大きさの違うブーツ靴を保管できる機能に着眼し、台座に設けた支柱の高さを適切に調整できるもので、調整が簡単にできるブーツ靴立である。又、ブーツ内の脱湿、脱臭、芳香付け、除菌等の機能も併せ持たせたもので、除湿剤、脱臭剤、芳香剤、除菌剤等の薬剤は、支柱の一部を改造して、薬剤の装着や取り出しが容易に出来る薬剤装着部を設けている。
【実施例１】
【０００９】
ここで、本発明のブーツ靴立ての好適な実施例を図面に沿って説明する。
図１乃至図４において、図１におけるブーツ靴立ての台座１には支柱２を設けるが、支柱２は固定支柱部材２１と高さ調整支柱部材２２とからなり、固定支柱部材２１は間隔ｘを置いて一対の扁平な固定支柱部材21a,21bとから構成され、高さ調整支柱部材２２は下方の前記の間隔に上下方向ｙにスライドするスライド部２２１と、上方のブーツ装着部２２２とから構成されている。
前記一対の固定支柱部材21a,21bは、図３に示すように、台座１に設けられた支柱固定凹部１１に接着材あるいはネジ等で間隔ｘを隔てて嵌合固定される。
前記固定支柱部材２１の間隔ｘには、高さ調整支柱部材２２のスライド部２２１が摺動自在に嵌挿されるが、高さ調整支柱部材２２が左右に傾かないように、一方の固定支柱部材21aには縦方向に溝部３を設け、これに対応するスライド部２２１には縦方向に凸部４を設けて、この凸部４を溝部３に嵌合させて摺動するようにしてある。
前記高さ調整支柱部材２２のブーツ装着部２２２の上端には、端部冠装部材５が設けられ、この端部冠装部材５には複数の通気孔５１が設けられており、端部冠装部材５の内部には乾燥材と脱臭材等の薬剤６が配備され薬剤装着部を兼ねている。
そして、一対の固定支柱部材21a,21bの上端近傍には、左右方向にボルト７を装着する貫通孔８が設けられ、一方、スライド部２２１には縦方向の複数位置に貫通孔８に連通しうる複数の貫通孔9a,9b,9cが設けられている。
【００１０】
使用方法は、まず、台座１に一対の固定支柱部材21a,21bを固定し、固定支柱部材２１の間隔ｘに高さ調整支柱部材２２のスライド部２２１を挿入し、ブーツ靴の長さに合わせて、複数の貫通孔9a,9b,9cからブーツ靴の最適の高さになるように、例えば、長いブーツ靴である場合は図１の状態、短いブーツ靴である場合は図２の状態のように適宜選択し、選択した貫通孔９(9a,9b,9c)と貫通孔８を一致させ、ボルト７を装着してナット71を嵌合し固定する。
ここで、図５に示すように、高さ調整支柱部材２２の上部のブーツ装着部２２２に皮製ブーツ靴Ａを半足を逆さ状態で挿入懸架すればよい。この実施例のブーツ靴立ては、一足用であるので、単独で利用すると共に下駄箱等の保管庫内に取付けて利用する事が出来る。
本実施例の材質は、木質系としたが、強度に耐え商品性を損なわない材質を用いれば良く、樹脂系、金属系等の材質を用いても良い。また、靴立の上下調整機能もスライド構成とボルトの固定構成としたが、固定支柱部材と高さ調整支柱部台とはボルト固定ではなく、摩擦力を大きくして固定する方式を利用したものでも良く、支柱を任意の位置に固定出来る構造であればよい。また、調整段数は、３段でなく製品や顧客要望にて随意に調整すればよく、収納するブーツ靴の長さに合わせて簡単に上下調整が可能であればよい。更に、端部冠装部材５（薬剤装着部)には除湿剤、脱臭剤の外、芳香剤、除菌剤等の薬剤を取り付けてもよい。
【００１１】
以上のように、本実施例によれば、ブーツ靴が逆さま状態で支柱にて懸架されブーツ靴の長さに依り支柱の高さが適切に調整できるので、ブーツ靴に折り目、シワ、キズ、汚れ、雑菌等の問題が発生せず常に最適な状態で保管でき、この様にブーツ靴が逆さまの状態にて保持されると乾燥した空気や新鮮な空気がブーツ靴の先まで容易に循環するので、ブーツ靴内面の蒸れ、臭い、湿気、汚れ、雑菌等が速やかに除去でき、この靴立ての支柱の端部冠装部材５の内部に、脱臭剤、芳香剤、乾燥剤、除菌剤等を取付ければブーツ靴内の嫌な臭い、湿気、雑菌等を取り除き清潔、衛生的に保管が出来る。
【００１２】
次に、図６に別の実施例を示して説明するが、この実施例は支柱２の構成は、前記の実施例と同じであるので説明は省くが、下駄箱等の靴収納箱Ｂにスライドする台座１’を設けて複数のブーツ靴を収納できるものである。すなわち、靴収納箱Ｂから前後にスライド部材１２'によりｚ方向にスライドして出し入れ可能な前記実施例の台座１よりは広い台座１’で、ブーツ靴Ａの３足用であって、高さ調整支柱部材２２を調整して、比較的長いブーツ靴のための二対の支柱（２a)、(2c)と比較的短いブーツ靴のための一対の支柱（２b)として、計６本の支柱２が千鳥足状に配置したものである。
この実施例においては、支柱の高さを自由に適宜自由に調整できることから、ブーツ靴の底部の高さを違えることにより、支柱の左右方向の間隔を小さくすることができ、三足用の六本の支柱を効率よく省スペースで配置でき、したがって、ブーツ靴の全体の収納スペースをよりコンパクトにすることができる。勿論、支柱の本数や配置はこれに限定されることはなく、下駄箱等の靴収納箱Ｂのスペースに合わせて適宜設計変更すればよい。
【産業上の利用可能性】
【００１３】
本発明の特徴を損ねるものでなければ、前記実施例に限定されないことは勿論であり、脱臭、除湿、除菌、芳香付け等の取り付け構造は、ブーツ靴の納入、取り出し等の収納行為に支障を生じさせない仕様と構造であればよく、また、ブーツ靴内の湿気、異臭等を強制的に排除する為、例えば、強制的に外部空気を送り込む吸気管等を付帯してもよい。また、本発明のブーツ靴立ての仕様、色彩、形状、材質等は、商品性を保持し利用者の同意を得られる物であれば良い。
【図面の簡単な説明】
【００１４】
【図１】本発明の実施例の長いブーツを差し込む際のブーツ靴立ての斜視図である。
【図２】本発明の実施例の短いブーツを差し込む際のブーツ靴立ての斜視図である。
【図３】本発明の実施例のブーツ靴立ての台座を示すもので、図３(a)はその平面図、図３(ｂ)は図３(a)の３−３での断面図である。
【図４】本発明の実施例のブーツ靴立ての支柱を示すもので、図４(a)は正面図、図４(ｂ)は側面図である。
【図５】本発明の実施例のブーツ靴立てに長いブーツを差し込む際のの斜視図である。
【図６】本発明の複数のブーツ靴に対応した別の実施例を示すもので、図６(a)はその斜視図、図６(ｂ)はその平面図である。
【符号の説明】
【００１５】
１、１'・・・台座、１１・・・支柱固定凹部、１２'・・・スライド部材
２,２a,２b,2c・・・支柱、２１,21a,21b・・・固定支柱部材
２２・・・高さ調整支柱部材、２２１・・・スライド部、
２２２・・・ブーツ装着部、
３・・・溝部、
４・・・凸部、
５・・・端部冠装部材(薬剤装着部)、５１・・・通気孔
６・・・薬剤、
７・・・ボルト、７１・・・ナット、
８、９(9a,9b,9c)・・・貫通孔、
ｘ・・・間隔、ｙ・・・スライド方向
Ａ・・・ブーツ靴、Ｂ・・・靴収納箱
【図１】
2005065831.tif 000003
【図２】
2005065831.tif 000004
【図３】
2005065831.tif 000005
【図４】
2005065831.tif 000006
【図５】
2005065831.tif 000007
【図６】
2005065831.tif 000008